(57)【要約】【課題】運転者にとっての選択の自由度を適切に高めることができるワイパースイッチを提供すること。【解決手段】本発明によるワイパースイッチ１は、傾動操作される時以外には中立位置Ｎに復帰されるレバー２を含むモーメンタリースイッチと、レバー２に設けられてプッシュ操作とプッシュ継続操作が可能なプッシュスイッチ３と、プッシュ操作によりレインセンサに基づく自動作動のオンオフを切替える切替手段４を含み、切替手段４は、プッシュ継続操作により間欠作動のオン又はオンオフ可能なモードに切替るとともに、レバー２の中立位置Ｎ以外の所定位置への傾動操作に基づいて一時作動に切替ることを特徴とする。【選択図】図１
2011143862.tif 000002
【特許請求の範囲】
【請求項１】
傾動操作される時以外には中立位置に復帰されるレバーを含むモーメンタリースイッチと、前記レバーに設けられてプッシュ操作とプッシュ継続操作が可能なプッシュスイッチと、前記プッシュ操作によりレインセンサに基づく自動作動のオンオフを切替える切替手段を含み、前記切替手段は、前記プッシュ継続操作により間欠作動のオン又はオンオフ可能なモードに切替るとともに、前記レバーの前記中立位置以外の所定位置への前記傾動操作に基づいて一時作動に切替ることを特徴とするワイパースイッチ。
【請求項２】
前記傾動操作に基づいて選択可能な前記レバーの傾動位置を前記中立位置に対して上下方向に二段階に割り付けるとともに、前記所定位置が一段上の前記傾動位置であることを特徴とする請求項１に記載のワイパースイッチ。
【請求項３】
二段上の前記傾動位置が停止を直接選択可能な位置で、二段下の前記傾動位置が高速作動を直接選択可能な位置であることを特徴とする請求項２に記載のワイパースイッチ。
【請求項４】
前記レバーに設けられたダイヤルスイッチを含むとともに、当該ダイヤルスイッチは、前記自動作動がオンである場合には前記レインセンサの感度を調節可能で、前記間欠作動がオンである場合には当該間欠作動の間隔を調節可能であることを特徴とする請求項１〜３のいずれか一項に記載のワイパースイッチ。
【請求項５】
前記自動作動がオンであって前記自動作動が正常に行われる場合に点灯する点灯手段を前記レバーに含むことを特徴とする請求項４に記載のワイパースイッチ。
【発明の詳細な説明】
【技術分野】
【０００１】
本発明は、車両に搭載されるワイパーのオンオフや機能選択を行うワイパースイッチであって、ＡＵＴＯ、ＨＩ、ＬＯ、ＩＮＴ、ＯＦＦ、ＭＩＳＴの切替、選択等におけるより便利で容易な操作を実現することができるワイパースイッチに関する。
【背景技術】
【０００２】
従来から車両においては、降雨や塵埃等の付着に対して運転者の車室外に対する視認性を高めるため、フロントガラスやリヤガラスをワイパーブレードにより払拭するワイパーが搭載されている。このようなワイパースイッチは一般的に、運転者の操作しやすいステアリングホイール近傍に設けられることが多い。
【０００３】
このようなワイパースイッチは一般に、ワイパースイッチを構成するレバースイッチのステアリングホイールの周方向における傾動位置を選択する傾動操作によって、レインセンサを用いた自動作動であるＡＵＴＯと、高速作動であるＨＩ、低速作動であるＬＯ、停止のＯＦＦを切り替えている。また、レバースイッチを運転者の手前側に引く引き操作ＰＵＬＬによって、一時作動のＭＩＳＴを選択可能としている。
【０００４】
ところで前述した自動作動のＡＵＴＯにおけるレインセンサによる降雨量のセンシングの感度と、運転者の降雨量に対する感覚とは必ずしも一致するものではなく、運転者によって自動作動ＡＵＴＯによるワイパーの作動の開始又は終了のタイミングに違和感を覚える事態を招く。
【０００５】
このような状況で運転者が違和感を覚えた場合には、運転者は間欠作動であるＩＮＴを選択することを希望することが想定される。ところが、現状ではＡＵＴＯを採用した種別のワイパースイッチにおける、レバースイッチの傾動位置にはＩＮＴは含まれていない。これは、レバースイッチにおいて選択される傾動位置数つまりポジション数が増大し、傾動操作が複雑になることを防止するためであるが、運転者にとっての選択の自由度が制限されるという問題が生じる。
【０００６】
また、上述したＡＵＴＯが選択されている期間に運転者が一時作動であるＭＩＳＴを希望する状況において、現状ではＭＩＳＴは、ワイパースイッチをＡＵＴＯから一旦ＯＦＦの傾動位置とする傾動操作を行った後でないと、引き操作ＰＵＬＬにより選択することができず、やはり、運転者にとっての選択の自由度が制限されるという問題が生じる。
【０００７】
このような問題を解決する手法として、特許文献１に記載されているように、レバースイッチの端部に設けられたウォッシャ液噴出用のウォッシャスイッチをオンとすることにより、自動作動ＡＵＴＯからＡＵＴＯ以外の作動へ移行することも考えられる。
【先行技術文献】
【特許文献】
【０００８】
【特許文献１】特開平５−１３９２５２号公報
【発明の概要】
【発明が解決しようとする課題】
【０００９】
しかしながら、この手法によっては、移行に当たって本来必要がない操作であるウォッシャ液噴出が必須となり、ウォッシャ液や噴出用のアクチュエータの駆動に必要なエネルギーの浪費を招く。また、上述したように、レバースイッチの傾動位置の周方向における配列にＩＮＴを追加することも、傾動位置数の増大と傾動操作の複雑化を招き、それぞれの傾動位置を選択する傾動操作に伴ってのレバースイッチの傾動角度の増大によって、レバースイッチに対する視認性の低下をも招く。すなわち、従来技術においては、上述した問題を適切に解決できないという課題があった。
【００１０】
本発明は、上記問題に鑑み、運転者にとっての選択の自由度を適切に高めることができるワイパースイッチを提供することを目的とする。
【課題を解決するための手段】
【００１１】
上記の問題を解決するため、本発明によるワイパースイッチは、
傾動操作される時以外には中立位置に復帰されるレバーを含むモーメンタリースイッチと、
前記レバーに設けられてプッシュ操作とプッシュ継続操作が可能なプッシュスイッチと、
前記プッシュ操作によりレインセンサに基づく自動作動のオンオフを切替える切替手段を含み、
前記切替手段は、前記プッシュ継続操作により間欠作動のオン又はオンオフ可能なモードに切替るとともに、前記レバーの前記中立位置以外の所定位置への前記傾動操作に基づいて一時作動に切替ることを特徴とする。
【００１２】
ここで、前記ワイパースイッチにおいて、
前記傾動操作に基づいて選択可能な前記レバーの傾動位置を前記中立位置に対して上下方向に二段階に割り付けるとともに、前記所定位置が一段上の前記傾動位置であることが好ましい。
【００１３】
加えて、前記ワイパースイッチにおいて、
二段上の前記傾動位置が停止を直接選択可能な位置で、二段下の前記傾動位置が高速作動を直接選択可能な位置であることが好ましい。
【００１４】
さらに、前記ワイパースイッチにおいて、
前記レバーに設けられたダイヤルスイッチを含むとともに、当該ダイヤルスイッチは、前記自動作動がオンである場合には前記レインセンサの感度を調節可能で、前記間欠作動がオンである場合には当該間欠作動の間隔を調節可能であることが好ましい。
【００１５】
また、前記ワイパースイッチにおいて、
前記自動作動がオンであって前記自動作動が正常に行われる場合に点灯する点灯手段を前記レバーに含むことが好ましい。
【発明の効果】
【００１６】
本発明のワイパースイッチによれば、運転者にとっての選択の自由度を適切に高めることができる。
【図面の簡単な説明】
【００１７】
【図１】本発明に係るワイパースイッチの一実施形態を示す模式図である。
【図２】本発明に係るワイパースイッチの一実施形態を示す模式図である。
【図３】本発明に係るワイパースイッチの一実施形態における切替態様を示す模式図である。
【図４】本発明に係るワイパースイッチの一実施形態における切替態様を示す模式図である。
【図５】本発明に係るワイパースイッチの一実施形態における切替態様を示す模式図である。
【図６】本発明に係るワイパースイッチの一実施形態における切替態様を示す模式図である。
【発明を実施するための形態】
【００１８】
以下、本発明を実施するための形態について、添付図面を参照しながら説明する。
【実施例】
【００１９】
図１は、本実施例のワイパースイッチ１の操作部分を主として示す模式図であり、図２は、本実施例のワイパースイッチ１の作動部分を主として示す模式図である。図３は、本実施例のワイパースイッチ１の各操作に対応した切替の態様を示す模式図である。
【００２０】
本実施例のワイパースイッチ１は、図１に示すように、例えば図示しないバネによる付勢力に基づいて傾動操作される時以外には中立位置Ｎに復帰されるレバー２を含むモーメンタリースイッチと、レバー２の端部に設けられてプッシュ操作（押し）とプッシュ継続操作（長押し）が可能なプッシュスイッチ３と、プッシュ操作により図示しないレインセンサに基づく自動作動ＡＵＴＯのオンオフを切替える切替手段をなす図２に示すマイコン４を含んで構成される。
【００２１】
なおワイパースイッチ１は、接点部、端子部を自明の構成として含むが、これらについては周知事項であるため、詳細な説明と図示を割愛している。また、モーメンタリースイッチは本実施例では機械式の接点タイプとしているが、電磁式の非接触タイプであってもよい。
【００２２】
モーメンタリースイッチは、図２中に示すように、中立位置Ｎに対応するシンボル○及び上下二段階の四つの傾動箇所に対応するシンボル△△、△、▽、▽▽に向けて運転者が傾動操作を行った場合において、それぞれのオン出力がマイコン４に入力される構成を有している。加えて、プッシュスイッチ３のオン出力であるＡＵＴＯ信号もマイコン４に入力される。
【００２３】
マイコン４は、例えばＣＰＵ、ＲＯＭ、ＲＡＭ、ＥＥＰＲＯＭ及びそれらを相互に接続するデータバスと入出力インターフェースから構成され、フラッシュメモリに格納されたプログラムに従い、モーメンタリースイッチ、プッシュスイッチ３からの図２中破線部内に示すそれぞれのオン出力に基づいて、ワイパーの作動のモードを切替て、切換後のモードにおいて図示しないワイパーのモータを制御するものである。
【００２４】
マイコン４は、プッシュ継続操作により図示しないワイパーの作動のモードを間欠作動ＩＮＴのオン又はオンオフ可能なモードに切替るとともに、自動作動ＡＵＴＯがオン又は間欠作動ＩＮＴがオンである条件において、レバー２の中立位置以外の所定位置である図１中上側に指向する頂点を有する△のシンボルで示される一段上の傾動位置への傾動操作に基づいて一時作動ＭＩＳＴに切替る。
【００２５】
プッシュスイッチ３のプッシュ操作（押し）によって、間欠作動ＩＮＴのオンオフもマイコン４により切替られる構成としている。プッシュスイッチ３のプッシュ操作によって、自動作動ＡＵＴＯのオフが選択されているとき、又は、間欠作動ＩＮＴのオフが選択されているときは、レバー２の傾動操作により、上二段、上一段、下一段、下二段が適宜選択されるマニュアル操作が実行される。
【００２６】
本実施例のワイパースイッチ１においては、傾動操作に基づいて選択可能なレバー２の傾動位置を図１中○のシンボルで示す中立位置に対して上下方向に二段階に割り付けるとともに、所定位置を△のシンボルで示される一段上の傾動位置としている。
【００２７】
加えて、本実施例のワイパースイッチ１においては、図１中上下方向に並ぶ△△のシンボルで示される二段上の傾動位置が停止ＯＦＦを直接選択可能な位置で、図１中上下方向に並ぶ▽▽のシンボルで示される二段下の傾動位置が高速作動ＨＩを直接選択可能な位置であることとしている。
【００２８】
なお、図１中△のシンボルで示される一段上の傾動位置は、高速作動ＨＩ→低速作動ＬＯ→停止ＯＦＦ→一時作動ＭＩＳＴをこの順序で送り選択する操作が実行される位置であり、図１中▽のシンボルで示される一段下の傾動位置は、停止ＯＦＦ→低速作動ＬＯ→高速作動ＨＩをこの順序で送り選択する操作が実行される位置である。
【００２９】
さらに、本実施例のワイパースイッチ１においては、レバー２の周方向に回転可能に設けられたダイヤルスイッチ５を含むとともに、ダイヤルスイッチ５はマイコン４に接続されており、自動作動ＡＵＴＯがオンである場合には図示しないレインセンサの感度Ｓを調節可能で、間欠作動ＩＮＴがオンである場合には間欠作動の間隔Ｔを調節可能であることとしている。
【００３０】
また、本実施例のワイパースイッチ１においては、自動作動ＡＵＴＯがオンであって自動作動が正常に行われる場合に点灯する点灯手段としてのインジケータランプ６をレバー２のダイヤルスイッチ５の右側に設けている。マイコン４は図２中においては図示しない電流センサにより、図示しないワイパーの動作用のモータの電流を監視しており、自動作動ＡＵＴＯがオンである条件において、モータの電流が正常に立ち上がる場合に、インジケータランプ６を点灯する。
【００３１】
インジケータランプ６をダイヤルスイッチ５の右側に配置することに併せて、自動作動ＡＵＴＯにおいて調節される感度Ｓの大小を示すシンボルである楔形状Δをダイヤルスイッチ５の右側に配置し、間欠作動ＩＮＴにおいて調節される間隔Ｔの大小を示すシンボルである楔形状Δをダイヤルスイッチ５の左側に配置している。
【００３２】
さらに、本実施例のワイパースイッチ１においては、マイコン４自体が故障した場合においても、レバー２による上二段の傾動操作による一発停止ＯＦＦ操作と、レバー２による下二段の傾動操作による一発高速作動ＨＩ操作については、実行可能とするため、Ｈｉラッチ回路であるアナログ回路７を含んでいる。Ｈｉラッチ回路はトランジスタや論理回路を組み合わせた周知の回路であり、セット、リセット、自己保持機能を備えるものである。
【００３３】
上述したロジックに基づいて、マイコン４は図示しないワイパーの作動のモードを適宜間欠作動ＩＮＴ、低速作動ＬＯ、高速作動ＨＩ、自動作動ＡＵＴＯ、一時作動ＭＩＳＴに切替て、切替た後のモードにてワイパーの図示しないモータを駆動する。
【００３４】
なお、プッシュスイッチ３のプッシュ継続操作（長押し）により、間欠作動ＩＮＴをオンとするか間欠作動ＩＮＴのオンオフが可能なモードに移行させるかにより、本実施例のモード遷移図は二通り考えられる。以下これについてモード遷移図を用いて説明する。図３及び図４は本実施例のワイパースイッチ１により切替られるモード遷移の態様を示す模式図である。
【００３５】
プッシュ継続操作により間欠作動ＩＮＴのオンオフが可能なモードに移行させる場合には、モード遷移図は図３に示す形態となる。つまり、プッシュ継続操作により、図３中中央部に示されるように、自動作動ＡＵＴＯのオンオフモード（図３中ＡＵＴＯ  ＯＮ／ＯＦＦモード）と、間欠作動ＩＮＴのオンオフモード（図３中ＩＮＴ  ＯＮ／ＯＦＦモード）の二つのモードの間で切替つまりモード遷移が行われる。
【００３６】
自動作動ＡＵＴＯのオンオフモードにおいて、プッシュ操作（押し）が行われた場合には、自動作動ＡＵＴＯのオンモード（図３左上  ＡＵＴＯ  ＯＮモード）と自動作動ＡＵＴＯのオフモード（図３右上  ＡＵＴＯ  ＯＦＦモード）が交互に切替られる。
【００３７】
間欠作動ＩＮＴのオンオフモードにおいて、プッシュ操作（押し）が行われた場合には、間欠作動ＩＮＴのオンモード（図３左下  ＩＮＴ  ＯＮモード）と自動作動ＡＵＴＯのオフモード（図３左下  ＩＮＴ  ＯＦＦモード）が交互に切替られる。
【００３８】
図３中左上のＡＵＴＯ  ＯＮモードにおいては、レバー２の一段上の傾動位置への傾動操作により、一時作動ＭＩＳＴが選択可能であり、ダイヤルスイッチ５の回転操作により、レインセンサの感度Ｓが調節可能である。
【００３９】
図３中左下のＩＮＴ  ＯＮモードにおいても、レバー２の一段上の傾動位置への傾動操作により、一時作動ＭＩＳＴが選択可能であり、ダイヤルスイッチ５の回転操作により、間隔Ｔが調節可能である。
【００４０】
図３中右上ＡＵＴＯ  ＯＦＦモード、及び図３中右下のＩＮＴ  ＯＦＦモードの双方において、レバー２を一段上の傾動位置とした場合には、ＨＩ→ＬＯ→ＯＦＦ→ＭＩＳＴの送り切替の操作が行われ、二段上とした場合には一発ＯＦＦが行われ、一段下とした場合にはＯＦＦ→ＬＯ→ＨＩの送り切替の操作が行われ、二段下とした場合には一発ＨＩが行われる。
【００４１】
プッシュ継続操作により間欠作動ＩＮＴのオンに移行させる場合には、モード遷移図は図４に示す形態となる。つまり、プッシュ継続操作により、図４中左側に示されるように、自動作動ＡＵＴＯのオンモード（図４中ＡＵＴＯ  ＯＮモード）と、間欠作動ＩＮＴのオンモード（図４中ＩＮＴ  ＯＮモード）の二つのモードの間で切替つまりモード遷移が行われる。
【００４２】
自動作動ＡＵＴＯのオンモード（図４中ＡＵＴＯ  ＯＮモード）において、プッシュ操作（押し）が行われた場合には、オフモード（図４中  ＡＵＴＯ／ＩＮＴ  ＯＦＦモード）に切替られ、オフモードでプッシュ操作が行われた場合には、自動作動ＡＵＴＯのオンモードへ切替られる。
【００４３】
間欠作動ＩＮＴのオンモード（図４中ＩＮＴ  ＯＮモード）において、プッシュ操作（押し）が行われた場合には、オフモード（図４中  ＡＵＴＯ／ＩＮＴ  ＯＦＦモード）に切替られ、オフモードでプッシュ操作が行われた場合には、間欠作動ＩＮＴのオンモードへ切替られる。
【００４４】
図４中左上のＡＵＴＯ  ＯＮモードにおいては、レバー２の一段上の傾動位置への傾動操作により、一時作動ＭＩＳＴが選択可能であり、ダイヤルスイッチ５の回転操作により、レインセンサの感度Ｓが調節可能である。
【００４５】
図４中左下のＩＮＴ  ＯＮモードにおいても、レバー２の一段上の傾動位置への傾動操作により、一時作動ＭＩＳＴが選択可能であり、ダイヤルスイッチ５の回転操作により、間隔Ｔが調節可能である。
【００４６】
図４中右のＡＵＴＯ／ＩＮＴ  ＯＦＦモードにおいて、レバー２を一段上の傾動位置とした場合には、ＨＩ→ＬＯ→ＯＦＦ→ＭＩＳＴの送り切替の操作が行われ、二段上とした場合には一発ＯＦＦが行われ、一段下とした場合にはＯＦＦ→ＬＯ→ＨＩの送り切替の操作が行われ、二段下とした場合には一発ＨＩが行われる。
【００４７】
上述したような本実施例のワイパースイッチ１によれば、以下のような作用効果を得ることができる。すなわちマイコン４がプッシュスイッチ３のプッシュ継続操作によりワイパーの動作モードを間欠作動ＩＮＴのオン又はオンオフ可能なモードに切替るとともに、レバー２の中立位置Ｎ以外の一段上の傾動位置への傾動操作に基づいて一時作動ＭＩＳＴに切替ることとしているので、運転者の選択の自由度を高めることができる。
【００４８】
つまり、運転者が自動作動ＡＵＴＯをプッシュスイッチ３のプッシュ操作により一旦選択した後においても、レインセンサによる自動作動ＡＵＴＯによるワイパーの動作が運転者の感覚とずれている場合に、プッシュスイッチ３のプッシュ継続操作によりワンタッチ、ワンアクションかつ即座に間欠作動ＩＮＴに切替ることができる。
【００４９】
また、自動作動ＡＵＴＯが選択されている場合でも、運転者が一時作動ＭＩＳＴを行いたい場合には、レバー２の一段上への傾動操作により、これもワンタッチ、ワンアクションかつ即座に一時作動ＭＩＳＴへ切替ることができる。
【００５０】
同様に、運転者が自動作動ＡＵＴＯからプッシュスイッチ３のプッシュ継続操作により間欠作動ＩＮＴを一旦選択した後においても、レバー２の一段上への傾動操作により、ワンタッチ、ワンアクションかつ即座に一時作動ＭＩＳＴに切替ることができる。
【００５１】
さらに、レバー２の傾動位置上に上から下に単純にＯＦＦ、ＡＵＴＯ、ＩＮＴ、ＬＯ、ＨＩを並列することに較べて、傾動位置数つまりポジション数を減らして、傾動操作をより簡易なものとすることができる。また、レバー２の傾動角度の増大を招くことがないため、レバー２に対する視認性の低下を招くことをも防止することができる。
【００５２】
さらに本実施例のワイパースイッチ１においては、レバー２の傾動操作に基づいて選択可能なレバー２の傾動位置を中立位置Ｎに対して上下方向に二段階に割り付けるとともに、一時作動ＭＩＳＴを選択可能とする所定位置を一段上の傾動位置としているので、より運転者の操作性を高めることができる。
【００５３】
加えて、本実施例１のワイパースイッチ１においては、二段上の傾動位置が停止ＯＦＦを直接選択可能な位置で、二段下の傾動位置が高速作動ＨＩを直接選択可能な位置としているので、運転者にとってより傾動操作を分かりやすいものとして、これによっても操作性を高めることができる。
【００５４】
また、本実施例のワイパースイッチ１においては、レバー２に設けられたダイヤルスイッチ５を含むとともに、ダイヤルスイッチ５は、自動作動ＡＵＴＯがオンである場合にはレインセンサの感度Ｓを調節可能で、間欠作動ＩＮＴがオンである場合には間欠作動の間隔Ｔを調節可能としているので、これによっても運転者の操作性を高めることができる。
【００５５】
さらに、本実施例のワイパースイッチ１においては、自動作動ＡＵＴＯがオンであって自動作動ＡＵＴＯが正常に行われる場合に点灯する点灯手段としてのインジケータランプ６をレバー２に含んでいるので、自動作動ＡＵＴＯが正常に実行されているか否かを運転者に常時把握させることができる。
【００５６】
また、自動作動ＡＵＴＯが選択されている場合には、ダイヤルスイッチ５の右側に位置するインジケータランプ６が点灯して、ダイヤルスイッチ５の右側に印字された楔形状Δに運転者の視線を誘導し、レインセンサの感度Ｓを調節可能であることを意識させることができる。
【００５７】
同様に、間欠作動ＩＮＴが選択されている場合には、インジケータランプ６と反対側の左側に印字された楔形状Δに運転者の視線を誘導し、間隔Ｔを調節可能であることを意識させることができる。
【００５８】
これらのことにより、本実施例のワイパースイッチ１におけるレインセンサの感度Ｓの調節及び間欠作動ＩＮＴにおける間隔Ｔの調節の操作を運転者にとってよりわかりやすいものとすることができる。
【００５９】
以上本発明の好ましい実施例について詳細に説明したが、本発明は上述した実施例に制限されることなく、本発明の範囲を逸脱することなく、上述した実施例に種々の変形および置換を加えることができる。
【００６０】
例えばモード遷移の態様については図３及び図４のいずれを選択してもよく、さらに、図５及び図６に示すものとすることもできる。図５及び図６は、本実施例のワイパースイッチ１により切替られるモード遷移の他の態様を示す模式図である。
【００６１】
図４に示したモード遷移図において、ＡＵＴＯ  ＯＮモードからＡＵＴＯ／ＩＮＴ  ＯＦＦモードへの切替、移行のトリガについては、図５に示すように、プッシュスイッチ３のプッシュ操作に加えて、レバー２の一段上以外の傾動位置への傾動操作をも加えることもできる。
【００６２】
同様に、図４に示したモード遷移図において、ＩＮＴ  ＯＮモードからＡＵＴＯ／ＩＮＴ  ＯＦＦモードへの移行のトリガについては、図５に示すように、プッシュスイッチ３のプッシュ操作に加えて、レバー２の一段上以外の傾動位置への傾動操作をも加えることもできる。
【００６３】
つまり、レバー２の一段上以外の傾動位置への傾動操作があった場合には、運転者がマニュアル操作を希望していると想定されることに基づいて、移行のトリガとしてプッシュ操作にレバー２の一段上以外の傾動位置への傾動操作を加えるものとしている。これにより、ワイパースイッチ１を運転者の意思を反映させたより使いやすいものとすることができる。
【００６４】
また、図５において、ＡＵＴＯ  ＯＮモードからＡＵＴＯ／ＩＮＴ  ＯＦＦモードにプッシュ操作により移行された後、再度のプッシュ操作によってはＡＵＴＯ  ＯＮモードのみに移行させ、ＩＮＴ  ＯＮモードへは移行させないこととするため、ＡＵＴＯ／ＩＮＴ  ＯＦＦモードからＩＮＴ  ＯＮモードへの以降はプッシュ操作の連続つまりダブルクリックを要件とすることもできる。
【００６５】
さらに、図６に示すように、ＡＵＴＯ／ＩＮＴ  ＯＦＦモードつまりマニュアル操作においては、レバー２を含むモーメンタリーレバースイッチの二段階の割り付けを省略して、一段上連続（ダブルクリック）で一発ＯＦＦとし、一段下連続（ダブルクリック）で一発ＨＩとすることもできる。
【００６６】
また、上述した実施例においてはウォッシャ液噴射については言及していないが、例えば、レバー２を手前に引く操作によりウォッシャ液噴射を行うこととしてもよい。
【産業上の利用可能性】
【００６７】
本発明は、ワイパースイッチに関するものであり、運転者にとっての選択の自由度を適切に高めることができ、かつ、操作を簡略化して構造の単純化を図ることができるワイパースイッチを提供することができるので、乗用車、トラック、バス等の様々な車両に適用して有益なものである。
【符号の説明】
【００６８】
１      ワイパースイッチ
２      レバー
３      プッシュスイッチ
４      マイコン（切替手段）
５      ダイヤルスイッチ
６      インジケータランプ
７      アナログ回路（Ｈｉラッチ回路）
【図１】
2011143862.tif 000003
【図２】
2011143862.tif 000004
【図３】
2011143862.tif 000005
【図４】
2011143862.tif 000006
【図５】
2011143862.tif 000007
【図６】
2011143862.tif 000008